(57)【要約】【課題】ＲＦＩＤタグの情報の漏洩を防止する。【解決手段】アンテナコイル３と情報記憶部を含むＩＣチップ２とを有するＲＦＩＤタグであって、前記アンテナコイル３内に磁化状態が切り換え可能な磁性体４を配置し、外部から磁界を加えることで磁性体４の磁化状態を消磁状態又は着磁状態に切り換え制御可能とする。消磁中はアンテナコイル３が外部のリーダ／ライタのアンテナコイルと電磁誘導等により結合し、電力供給／信号の授受が可能であり、消磁状態では誘導起電力を発生できないので、電力供給／信号の授受ができずＩＣチップ２は動作しない。【選択図】        図１
2006172228.tif 000002
【特許請求の範囲】
【請求項１】
アンテナコイルと情報記憶部とを有するＲＦＩＤタグにおいて、前記アンテナコイル内に磁化状態が切り換え可能な磁性体を配置したことを特徴とするアクセス禁止機能付きＲＦＩＤタグ。
【請求項２】
前記アンテナコイルの誘起電圧に基づき情報記憶部に電力を供給する電源部を備えることを特徴とする請求項２記載のアクセス禁止機能付きＲＦＩＤタグ。
【請求項３】
前記アンテナコイルはループ状に巻回され、前記磁性体は前記ループ内に平行配置された板状の磁性体であることを特徴とする請求項２又は３記載のアクセス禁止機能付きＲＦＩＤタグ。
【請求項４】
電磁誘導型又は電磁結合型のＲＦＩＤタグであることを特徴とする請求項１、２又は３記載のアクセス禁止機能付きＲＦＩＤタグ。
【請求項５】
磁性体が配置されたアンテナコイルと情報記憶部とを有するＲＦＩＤタグに対して磁場を発生する磁場発生装置であって、前記磁性体を着磁又は消磁する磁束発生部を備えることを特徴とするＲＦＩＤタグ用磁場発生装置。
【請求項６】
磁性体が配置されたアンテナコイルと情報記憶部を有するＲＦＩＤタグに対してアクセスするリーダ／ライタであって、情報の送受信部と、前記磁性体を磁化状態又は消磁状態に制御するの磁束発生部を備えることを特徴とするＲＦＩＤタグ用のリーダ／ライタ。
【請求項７】
内部に磁化状態が切り換え可能な磁性体を配置したアンテナコイルと情報記憶部とを有するＲＦＩＤタグと、前記ＲＦＩＤタグの磁性体の磁化状態を切り換える磁場を発生するＲＦＩＤタグ用磁場発生装置とを備えることを特徴とするＲＦＩＤタグシステム。
【請求項８】
内部に磁化状態が切り換え可能な磁性体を配置したアンテナコイルと情報記憶部とを有するＲＦＩＤタグと、ＲＦＩＤタグに対する情報の送受信部と前記磁性体を磁化状態又は消磁状態に制御する磁束発生部とを備えるリーダ／ライタとを備えることを特徴とするＲＦＩＤタグシステム。
【請求項９】
ＲＦＩＤタグの情報記憶部へのアクセスを禁止するＲＦＩＤタグのアクセス禁止制御方法であって、アンテナコイル内に磁性体を配置し、前記磁性体の磁化状態を制御することにより、前記情報記憶部へのアクセスの禁止及び禁止の解除を行うことことを特徴とするＲＦＩＤタグのアクセス禁止制御方法。
【請求項１０】
アンテナコイルの誘起電圧に基づく内部回路への電力供給を前記磁性体の磁化状態により制御することにより情報記憶部へのアクセスの禁止及び禁止の解除を行うことを特徴とする請求項９記載のＲＦＩＤタグのアクセス禁止制御方法。
【発明の詳細な説明】
【技術分野】
【０００１】
本発明はＲＦＩＤタグに関し、特に、ＩＣチップへのアクセス禁止機能を有するＲＦＩＤタグのアクセス禁止機能付きＲＦＩＤタグ、ＲＦＩＤタグ用磁場発生装置、リーダ／ライタ、ＲＦＩＤタグシステム及びＲＦＩＤタグのアクセス禁止制御方法に関する。
【背景技術】
【０００２】
近年、メーカーの間にＲＦＩＤタグ（Radio Frequency Identification：別名ＩＣタグ）を用いた生産管理が浸透してきた。  
ＲＦＩＤタグの利点の一つに、多くの情報を格納することができるという点があり、これにより全ての製品に個別のＩＤ番号を付与したり、製品の生産情報、つまり、製造年月、部品のロット、生産ライン等の情報を記録することが可能となっている。
【０００３】
これらの情報をＲＦＩＤタグに格納して製品に直接実装し、後日必要に応じてその情報を確認することは、製品のトレーサビリティを確保する上で非常に有効な手段である。
【発明の開示】
【発明が解決しようとする課題】
【０００４】
現在のＲＦＩＤタグは規格化が進んでおり、使用周波数等が国際標準（ＩＳＯ／ＩＥＣ等）として規定されている。その為、何も漏洩対策を立てないと一般的なリーダ／ライタにより容易に内容を読み取られるおそれがある。特に、ＲＦＩＤタグの情報には生産上の重要なノウハウが含まれていることがあるので、社外への漏洩を防止する必要がある。
【０００５】
このため従来より内蔵のＩＣチップにＣＰＵ（中央処理装置）を内蔵し、リーダ／ライタとの間でパスワードの認証手続きを行う手段が一般的に用いられてきた。
【０００６】
しかし、認証手続きを行う為には、本来の情報の読書き等の機能以上の高度な機能が要求され、ＲＦＩＤタグ自身のコスト面で不利である。また、ＣＰＵの動作可能な高い誘導起電力を維持する為、コイルの巻き数等、アンテナの構造においても複雑になる等の面でも不利である。
【０００７】
つまり、ＩＣチップにＣＰＵを内蔵してインテリジェンス性を持たせ、外部からのパスワード等を認識して情報を出力する方法では、以下の欠点があった。
（１）ＩＣチップが高価なものになり、ＲＦＩＤタグのコストを押し上げること、
（２）ＣＰＵが動作可能な高い誘導起電力を維持する為、コイルの巻き数等、アンテナの構造が複雑になり、小型化に困難性を伴い、この点でも原価低減に対して障害となること、
である。
【０００８】
（目的）
本発明の目的は、前記問題を解決するものであり、情報の漏洩を防止できるようにしたアクセス禁止機能付きＲＦＩＤタグ、前記ＲＦＩＤタグを制御するＲＦＩＤタグ用磁場発生装置、リーダ／ライタ、ＲＦＩＤタグシステム及びＲＦＩＤタグのアクセス禁止制御方法を提供することにある。
【課題を解決するための手段】
【０００９】
本発明のアクセス禁止機能付きＲＦＩＤタグは、アンテナコイルと情報記憶部とを有するＲＦＩＤタグにおいて、前記アンテナコイル内に磁化状態が切り換え可能な磁性体を配置したことを特徴とし、前記アンテナコイルの誘起起電力に基づき情報記憶部に電力を供給する電源部を備えることを特徴とする。また、前記アンテナコイルはループ状に巻回され、前記磁性体は前記ループ内に平行配置された板状の磁性体であることを特徴とし、電磁誘導型又は電磁結合型のＲＦＩＤタグであることを特徴とする。
【００１０】
本発明のＲＦＩＤタグ用磁場発生装置は、磁性体が配置されたアンテナコイルと情報記憶部とを有するＲＦＩＤタグに対して磁場を発生する磁場発生装置であって、前記磁性体を着磁又は消磁する磁束発生部を備えることを特徴とする。
【００１１】
本発明のリーダ／ライタは、磁性体が配置されたアンテナコイルと情報記憶部を有するＲＦＩＤタグに対してアクセスするリーダ／ライタであって、情報の送受信部と前記磁性体の磁化状態を制御する磁化又は消磁用の磁束発生部を備えることを特徴とする。
【００１２】
本発明のＲＦＩＤタグシステムは、内部に磁化状態が切り換え可能な磁性体を配置したアンテナコイルと情報記憶部とを有するＲＦＩＤタグと、前記ＲＦＩＤタグの磁性体の磁化状態を切り換える磁場を発生するＲＦＩＤタグ用磁場発生装置とからなることを特徴とし、また、内部に磁化状態が切り換え可能な磁性体を配置したアンテナコイルと情報記憶部とを有するＲＦＩＤタグと、前記ＲＦＩＤタグに対してアクセスするリーダ／ライタであって情報の送受信部と前記磁性体の磁化状態を制御する磁化又は消磁用の磁束発生部を備えるリーダ／ライタとからなることを特徴とする。
【００１３】
本発明のＲＦＩＤタグのアクセス禁止制御方法は、ＲＦＩＤタグの情報記憶部へのアクセスを禁止するＲＦＩＤタグのアクセス禁止制御方法であって、アンテナコイル内に磁性体を配置し、前記磁性体の磁化状態を制御することにより、前記情報記憶部へのアクセスの禁止及び禁止の解除を行うことことを特徴とし、更にアンテナコイルの誘起起電力に基づく内部回路への電力供給を前記磁性体の磁化状態により制御することにより情報記憶部へのアクセスの禁止及び禁止の解除を行うことを特徴とする。
【００１４】
ＲＦＩＤタグ１はアンテナコイル３と内部回路にＩＣチップ２を備え、ＩＣチップ２はＩＤ番号や各種情報を記憶するメモリ部とその読書きを制御する制御部により情報記憶部が構成される。アンテナコイル３は、外部のリーダ／ライタからの信号を受信してＩＣチップ２への電力の供給を行い、さらに、制御信号の受信、ＩＣチップ２の記憶情報の送信を行う。ここで、アンテナコイル３の中心等の電磁波（磁束）の通り道には磁性体４が配置され、外部からの磁界が加わることにより磁性体４の残留磁束（消磁／着磁）が変化し、アンテナコイル３からの誘起起電力の発生、非発生が切り換わり、アンテナコイル３からの情報の送受信が制御される。（図１、２、３）
【００１５】
（作用）
ＲＦＩＤタグは電磁誘導型又は電磁結合型のＩＣタグであり、外部のリーダ／ライタのアンテナコイルと電磁誘導等により結合し、電力供給／信号の授受を行う。さらに、外部から磁界を加えることで磁性体の残留磁束が変化（消磁／着磁）する。
【００１６】
消磁中は磁性体の残留磁束が無視できる為、外部からの制御信号による磁場変化に応じて磁性体の磁束の向きが変化する。その為、アンテナコイルに電磁誘導を起こして誘導起電力を得、ＩＣチップへの電力の供給と制御信号／情報の送受信が可能となる。
【００１７】
着磁中は磁性体の残留磁束が大きく、外部からの制御信号による磁場変化では磁性体の磁束の向きは変化しない。その為、アンテナコイルに誘導起電力を発生させることが出来ず、ＩＣチップを動作させることは出来ない。つまり、ＩＣチップへの読書きの禁止及び解除等のアクセスの制御が可能である。
【発明の効果】
【００１８】
本発明によれば以下の効果を奏する。
（１）ＲＦＩＤタグ内のＩＣチップの機能が必要最小限の機能により構成することができる。  
アンテナコイルの磁性体の磁化状態を制御するだけでその入力を制御するものである為、パスワードの認証等の機能を持たせることが不要であるから、メモリ等の情報記憶部への読書き機能等の最小限の機能でＩＣチップを構成できる。
（２）ＲＦＩＤタグの構造も簡素化が可能である。  
読書き禁止の制御は全て外部からの磁界の制御により行われる。その為、ＲＦＩＤタグ自身の構造も従来とほぼ同じ規模に抑えることができる。
（３）第三者からの読書き等のアクセスに対してガードを掛けることが可能である。  
ＩＣチップへのアクセスを可能にするには磁性体を消磁する必要があるが、消磁には専用の磁場発生装置やリーダ／ライタ等が必要となる為、通常のリーダ／ライタによる第三者からの読書き等、アクセスを禁止できる。
【発明を実施するための最良の形態】
【００１９】
（構成の説明）
図１は本発明の一実施の形態の薄型のＲＦＩＤタグの構成を示す図であり、図１（ａ）はＲＦＩＤタグの筐体上面を除いた平面図、図１（ｂ）はそのＡ−Ａ断面図である。
【００２０】
本実施の形態のＲＦＩＤタグ１は、図１（ａ）に示すように、製品等への貼り付けに適したチップ形状（立方体）の筐体５内に、ＩＣチップ２と、ＩＣチップ２に接続されたアンテナコイル３と、前記アンテナコイル３のループ内に配置された磁性体４とからなる構成要素を収納した構造を有する。
【００２１】
また、図１（ｂ）に示すように、ＲＦＩＤタグは前記構成要素をプラスチックフィルム等のシール６で密閉して構成し、特にＩＣチップ２はシール６に接着することにより、開封時に意図的に破損するように構成されている。
【００２２】
図２はＲＦＩＤタグに対しアクセスするリーダ／ライタの構成を示す図である。本実施の形態のリーダ／ライタ７は、前記ＲＦＩＤタグ１と併用することによりＲＦＩＤタグシステムが構成される。図１に示すＲＦＩＤタグ１のアンテナコイル３と電磁的に結合するアンテナ８と、前記アンテナ８と接続されたインターフェース９と、前記インターフェース９と接続された制御信号及び情報の信号を入出力するアクセス装置１０とから構成される。
【００２３】
本リーダ／ライタはアクセス装置１０からＲＦＩＤタグに対し、該ＲＦＩＤタグが添付された製品等の製造年月、部品のロット、生産ライン等の記録情報を読み取り、又は製品の生産情報等の情報を書き込む制御を行う信号を入出力する。
【００２４】
図３は、本実施の形態のＩＣチップ２の内部回路の構成を示す図である。各部のより詳細な構成及び機能は次の通りである。  
ＩＣチップ２はアンテナコイル３とインターフェースを介して接続され、ＩＤ番号や各種情報を記憶するメモリ部２２と、前記メモリ部２２に対する各種情報を読書きする制御部２１と、アンテナコイル３の誘起起電力により前記メモリ部２２及び制御部２１等に電力を供給する電源部２３とから構成されている。
【００２５】
アンテナコイル３は、図１（ａ）の紙面に平行な面上に渦巻状の数ループないしそれ以上巻回されたループ状アンテナとして構成され、図２に示す外部のリーダ／ライタからの信号を送受してＩＣチップ２のインターフェースに送受信し、前記電源部２３を介してＩＣチップ２へ電力を供給し、さらに、前記制御部２１を介して制御信号の送受信、及び前記メモリ部２２への記憶情報の読書きを行うための電磁的な信号の送受信機能を有する。
【００２６】
磁性体４は、アンテナコイル３のループ内の全域又は中心等に配置され、アンテナコイル３が受信する電磁波（磁束）の通り道となる。磁性体４の材料は高透磁率の強磁性材料から選択される。例えば、変圧器等で用いられる鉄心と同種のものの使用が挙げられ、Ｆｅ−Ｓｉ合金（Ｓｉ比率４重量％）等が適用可能である。また、磁性体の形状は、アンテナコイルのループ形状に応じた形状が利用可能であり、また、形状、構造としては、シート状、立方体形状、円筒形状等が適用可能である。
【００２７】
本実施の形態のＲＦＩＤタグ１は、電磁誘導型又は電磁結合型のＩＣタグであり、外部のリーダ／ライタのアンテナコイルと電磁誘導による結合により電力の供給及び信号の授受を行うとともに、外部から加えられた磁化状態を制御する磁界により磁性体４の残留磁束が変化（消磁又は着磁）する。
【００２８】
磁性体４の消磁状態では、残留磁束が無視できる為、外部からの信号による磁場変化に応じて磁性体の磁束（磁束密度）の向きが変化する。その為、アンテナコイル３に電磁誘導を起こして誘導起電力を発生させ、前記ＩＣチップ２への電力の供給と制御信号及び情報の送受信が可能となる。
【００２９】
磁性体４の着磁状態では、残留磁束が大きくなり、外部からの信号による磁場変化では磁性体の磁束の向きは変化しない。その為、アンテナコイル３に誘導起電力を発生させることが出来ず、ＩＣチップ２への電力供給ができないからＩＣチップ２を動作させることは出来ない。
【００３０】
従って、磁性体４を着磁状態又は消磁状態に切り換えることにより、それぞれＩＣチップ２への読書き等のアクセスを可能とし又は禁止するように制御することができる。
【００３１】
（動作の説明）
次に本実施の形態の動作を図４を参照して説明する。  
図４は磁性体の磁化曲線を示す図である。横軸に磁性体４に加えられる磁場Ｈを示し、縦軸に磁性体４から生じる磁束密度Ｂを示している。  
一般的に知られているように強磁性体材料は、消磁状態での小さい磁界領域で動作する可逆的な磁化曲線（処女曲線）と、大きな磁化領域で動作する非可逆的なヒステリシス（履歴）曲線（ヒステリシスサイクル）とを有し、一旦、着磁状態にすると消磁するまで処女曲線に戻らないという磁化特性を持っている。
【００３２】
本実施の形態では、図４に示す磁場Ｈとして、外部のリーダ／ライタのアンテナコイルから発生する信号用の磁場と、後述する消磁器等から発生するアクセスの制御用の磁場とがある。また、磁束密度Ｂは磁性体４のアンテナコイル３に対する断面積（図１（ａ）の紙面と平行な面での断面積）は一定であるので、磁束の大きさと同じ意味となる。
【００３３】
本実施の形態では、外部から与える磁化状態を制御する磁界により磁性体４を前述の磁化曲線の何れかの磁化状態に切り換えることによりＩＣチップ２の読書きの禁止／解除を制御する。
【００３４】
以下、読書き可能（非ロック）状態、読書き禁止（ロック）状態、読書き禁止（ロック）状態の解除について詳細に説明する。
【００３５】
（１）読書き可能（非ロック）状態
磁性体４を初期状態又は消磁した状態（未使用状態）とすることにより、ＩＣチップ２が使用可能となる。  
この状態では磁性体４は残留磁束を殆ど持たない為、外部のリーダ／ライタのアンテナコイルから発生した信号用の磁場（Ｈ０〜−Ｈ０）により、磁性体４の磁束の向きが切り替わり（図４に示す動作点ｐ７→ｐ８→ｐ９）、ＲＦＩＤタグ１のアンテナコイル３との間で電磁誘導による結合が可能となる。
【００３６】
この状態では、アンテナコイル３で発生した誘導起電力でＩＣチップ２の起動と各種の制御信号及び情報の授受が可能となり、メモリ部２２への必要な情報の書き込み及び読み出しが実施できる。
【００３７】
（２）読書き禁止（ロック）状態
磁性体４を着磁した状態とすることにより、ＩＣチップ２が使用不可能となる。  
外部から通常の使用時よりも大きな制御用の磁場（飽和磁場Ｈ１）を加え、磁性体４の磁束を飽和させる（動作点ｐ７→ｐ９→ｐ１０）。この後、磁場を０に戻しても残留磁束（Ｂｒ）が残るので磁束は０にはならずに着磁する（動作点ｐ１０→ｐ１３→ｐ１１）。
【００３８】
この状態では、外部のリーダ／ライタのアンテナコイルから発生した磁場が磁性体４に加わっても、不可逆的な変化を起こす飽和領域で動作し、磁束の向きを変化させることは出来ないので、アンテナコイル３には誘導起電力を生じさせることができず、制御信号及び情報の授受が不可能である（動作点ｐ１１→ｐ１２→ｐ１３）。
【００３９】
なお、アンテナコイルに逆方向の強い磁場（飽和磁場Ｈ２）を掛けることにより、磁性体４の磁束の向きを逆にすることができる（動作点ｐ１１→ｐ１２→ｐ１４）が、通常の外部のリーダ／ライタのアンテナコイルによって発生される信号用の磁場（Ｈ０〜−Ｈ０）の範囲で磁束の向きを変化させることは不可能である（動作点ｐ１５←→ｐ１６）。従って、ロック状態では、アンテナコイル３に誘導起電力を発生させることはできないからＩＣチップ２は動作しない。
【００４０】
（３）読書き禁止（ロック）状態の解除
着磁状態の磁性体４を消磁することにより、読書き禁止（ロック）状態を解除することが可能となる。  
着磁と同程度の磁場から始めて磁場を正→逆→正方向と交互に加え、更にその大きさを徐々に減らして行くサイクルを繰り返すことで最終的に消磁が可能である。これによりＲＦＩＤタグのロック状態を外部から解除する制御が可能である。
【００４１】
図５は消磁の動作原理を示す図である。磁性体４を消磁させるには、磁場Ｈが０の状態から逆方向に飽和する寸前まで磁場Ｈ３を加える（動作点ｐ１１→ｐ１８）。次に、正方向の飽和磁場Ｈ１より僅かに小さな磁場Ｈ４を加える（動作点ｐ１８→ｐ１９）。更に、磁場Ｈ３より僅かに小さな磁場Ｈ５を加え、以後、加える磁場を徐々に小さくしつつ正逆交互に加えて行くことで消磁が行われる（図５の反時計回りのサイクル）。磁性体４の消磁によって、ＲＦＩＤタグ１のロック状態が解除され、再度、読書き動作が可能となる。
【００４２】
図６は消磁器の構造を示す図である。消磁器の電源１１と、電源１１からの電力により消磁用の電流を発生する制御器１２と、前記制御器１２からの電流が供給され消磁用の磁界を発生するコイル１３と、該ＲＦＩＤタグに磁場を与える前記コイル１３が巻回された磁界発生用の磁性体１４と、から構成される。本消磁器はＲＦＩＤタグと併用することによりＲＦＩＤタグシステムが構成される。
【００４３】
図７は制御器１２が出力する電流Ｉと消磁器の出力磁場Ｈを示す図である。制御器１２は定電流電源の一種で構成され、消磁器に電源１１から電力が供給されると、図６に示すように経時的に振幅が減衰する定電流がコイル１３に出力される。コイル１３は制御器１２から出力される電流によって次第に減衰する磁場Ｈを発生させ磁性体１４を介してＲＦＩＤタグ１の磁性体４を消磁する。なお、コイルの巻き数をＮとするとＨ＝Ｎ×ＩとなりＨはＩに比例する。磁界の各ピークをＨ３，Ｈ４，Ｈ５，Ｈ６……（電流値換算ではＨ３／Ｎ，Ｈ４／Ｎ，Ｈ５／Ｎ，Ｈ６／Ｎ…）と徐々に小さくする。
【００４４】
また、本消磁器は消磁機能の専用器とすることなく着磁機能をも持たせるように変更することが可能である。つまり、制御器１２から前述のような交流電流の出力機能に加え、直流電流を出力するように切り換え可能に構成し、消磁に加え着磁をも行うように構成することが可能である。
【００４５】
図８は制御器をリーダ／ライタに取り込んだ構成例を示す図である。制御器をリーダ／ライタに取り込む場合、磁界を発生するコイル１３等をリーダ／ライタ内に併存させることにより構成できるが、本実施の形態のリーダ／ライタ１５では、アクセス装置１０が接続されたインターフェース９に着磁及び消磁のための信号を出力する制御器１６を接続し、アンテナ８を消磁等のコイルと共用した例を示している。
【００４６】
（他の実施の形態）
前述の実施の形態においては、アンテナコイルを渦巻きの形状として構成例を示したが、トロイダル形状のコイルで構成することが可能である。
【００４７】
また、ＲＦＩＤタグとしては読書き可能なタイプの例で説明したが、読み出しのみのタイプ（ＩＤ記憶タイプ等）のＲＦＩＤタグでも実現可能である。
【００４８】
更に、ＲＦＩＤタグは製品等の対象物に貼り付ける形状のものに限られるものではなく、スティックタイプやメダルタイプの形状等、対象物にワイヤ等で結びつけるタイプのＲＦＩＤタグにも問題なく適用可能である。
【産業上の利用可能性】
【００４９】
物流分野での利用、特に、出荷製品のトレーサビリティの確保と、機密保持の両立が必要な分野において有望である。 
【図面の簡単な説明】
【００５０】
【図１】本発明の一実施の形態の薄型のＲＦＩＤタグの構成を示す図であり、図１（ａ）はＲＦＩＤタグの筐体上面を除いた平面図、図１（ｂ）はそのＡ−Ａ断面図である。
【図２】ＲＦＩＤタグに対しアクセスするリーダ／ライタの構成を示す図である。
【図３】本実施の形態のＩＣチップ２の内部回路を含む構成及びＲＦＩＤタグのリーダ／ライタの構成を示す図である。
【図４】磁性体の磁化曲線を示す図である。
【図５】消磁の動作原理を示す図である。
【図６】消磁器の構造を示す図である。
【図７】制御器１２が出力する電流Ｉと消磁器の出力磁場Ｈを示す図である。
【図８】制御器をリーダ／ライタに取り込んだ構成例を示す図である。
【符号の説明】
【００５１】
１  ＲＦＩＤタグ
２  ＩＣチップ
３  アンテナコイル
４  磁性体
５  底面
６  シール
７、１５  リーダ／ライタ
８  コイル
９  インターフェース
１０  アクセス装置
１１  電源
１２  制御器
１３  コイル
２１  制御部
２２  メモリ部
２３  電源部
ｐ７〜ｐ１９  動作点
【図１】
2006172228.tif 000003
【図２】
2006172228.tif 000004
【図３】
2006172228.tif 000005
【図４】
2006172228.tif 000006
【図５】
2006172228.tif 000007
【図６】
2006172228.tif 000008
【図７】
2006172228.tif 000009
【図８】
2006172228.tif 000010